(57)【要約】      （修正有）【課題】専門家でない個人であっても容易に窓に取り付け可能な調光装置を提供する。【解決手段】窓枠内に着脱可能な調光装置であって、高分子分散型液晶パネル１１０と、高分子分散型液晶パネルの外周縁部を挟持する枠体１２０と、枠体の外周面から外方に突出するように設けられ、調光装置を窓枠内に固定する固定部１３０ａと、を有する。【選択図】図１
0003227023.tif 000002
【実用新案登録請求の範囲】
【請求項１】
窓枠内に着脱可能に固定される調光装置であって、
高分子分散型液晶パネルと、該高分子分散型液晶パネルの外周縁部を挟持する枠体と、該枠体の外周面から外方に突出するように設けられ、該調光装置を窓枠内に固定する固定部と、を有する、調光装置。
【請求項２】
前記固定部の数が、１〜４である、請求項１に記載の調光装置。
【請求項３】
前記固定部が、伸縮する、請求項１または２に記載の調光装置。
【請求項４】
前記固定部が、弾性部材を含む、請求項３に記載の調光装置。
【請求項５】
前記弾性部材が、バネである、請求項４に記載の調光装置。
【請求項６】
前記弾性部材が、エラストマーで形成されている、請求項４に記載の調光装置。
【請求項７】
前記枠体が、多角形である、請求項１から６のいずれかに記載の調光装置。
【請求項８】
前記枠体が、四角形である、請求項７に記載の調光装置。
【請求項９】
前記枠体が、円形である、請求項１から６のいずれかに記載の調光装置。
【考案の詳細な説明】
【技術分野】
【０００１】
本考案は、調光装置に関する。
【背景技術】
【０００２】
従来、一対の透明電極の間に高分子分散型液晶（以下、「ＰＤＬＣ」と称する場合がある）が充填されてなる液晶層を有して構成された高分子分散型液晶パネルが知られている（例えば、特許文献１参照）。
【０００３】
ＰＤＬＣパネルは、一対の透明電極に対して電圧が印加されていない状態において、液晶分子の配列が不規則な状態となり、光を散乱させる状態（散乱状態）となる。これにより、ＰＤＬＣパネルは、全面的に白色化して、一方の側から他方の側を視認できなくなるようにすることができる。一方、ＰＤＬＣパネルは、一対の透明電極に対して電圧を印加することにより、ＰＤＬＣに含まれている液晶分子の配列が規則的な状態となり、光を透過させる状態（非散乱状態）となる。
【０００４】
このようなＰＤＬＣパネルは、フィルム状とすることが可能であるため、調光フィルムとして利用されている。例えば、ＰＤＬＣパネルを既存の窓に取付けることで、ブラインドシャッタとして機能させることができる。
【先行技術文献】
【特許文献】
【０００５】
【特許文献１】特開２０１８−１１６２７３号公報
【考案の概要】
【考案が解決しようとする課題】
【０００６】
上記ＰＤＬＣパネルを窓に取付ける際、専門家でない個人にとっては煩雑な作業が必要となる場合がある。
【０００７】
本考案は、上記問題点を解消するためになされたものであり、その主たる目的は、専門家でない個人であっても容易に窓に取り付け可能な調光装置を提供することにある。
【課題を解決するための手段】
【０００８】
本考案の調光装置は、窓枠内に着脱可能に固定される調光装置であって、高分子分散型液晶パネルと、該高分子分散型液晶パネルの外周縁部を挟持する枠体と、該枠体の外周面から外方に突出するように設けられ、該調光装置を窓枠内に固定する固定部と、を有する。
１つの実施形態において、上記固定部の数が、１〜４である。
１つの実施形態において、上記固定部が、伸縮する。
１つの実施形態において、上記固定部が、弾性部材を含む。
１つの実施形態において、上記弾性部材が、バネである。
１つの実施形態において、上記弾性部材が、エラストマーで形成されている。
１つの実施形態において、上記枠体が、多角形である。
１つの実施形態において、上記枠体が、四角形である。
１つの実施形態において、上記枠体が、円形である。
【考案の効果】
【０００９】
本考案によれば、高分子分散型液晶パネルを挟持する枠体の外周面に外方に向かって突出する、または、突出可能に構成された固定部が設けられ、当該固定部が窓枠を押圧して突っ張るように調光装置を支持することにより、当該調光装置を窓枠内に容易に固定することができる。
【図面の簡単な説明】
【００１０】
【図１】（ａ）は、本考案の１つの実施形態に係る調光装置の正面図であり、（ｂ）は、（ａ）に示す調光装置の右側面図である。
【図２】図１に示す調光装置を窓に取付ける様子を示す図である。
【図３】窓に取り付けられた状態の図１（ａ）に示す調光装置を示す図である。
【図４】図１に示す調光装置のＡ−Ａ断面図である。
【図５】固定部の構成の一例を示す図である。
【図６】固定部の構成の一例を示す図である。
【図７】固定部の構成の一例を示す図である。
【図８】固定部の構成の一例を示す図である。
【図９】固定部の構成の一例を示す図である。
【図１０】本考案の別の実施形態に係る調光装置が窓に取り付けられた状態を示す図である。
【考案を実施するための形態】
【００１１】
以下、図面を参照して、本考案の実施形態について説明するが、本考案は当該実施形態には限定されない。なお、本実施形態では、便宜上、調光装置１０を正面側から見たときの横幅方向をＸ軸方向とし、奥行き（厚み）方向をＹ軸方向とし、高さ方向をＺ軸方向とする。また、調光装置およびＰＤＬＣパネルに関してＸＺ面を主面とし、主面に対して直交する面を側面とする。
【００１２】
［調光装置の全体構成］
図１（ａ）は、本考案の１つの実施形態に係る調光装置の正面図であり、図１（ｂ）は、図１（ａ）に示す調光装置の右側面図である。図１（ａ）及び（ｂ）に示す調光装置１０は、平板状且つ矩形状の装置であり、ＰＤＬＣパネル１１０と、該ＰＤＬＣパネル１１０の外周縁部を挟持する枠体１２０と、該枠体１２０の左右側面の上部及び下部から外方に突出するように設けられた４つの固定部１３０ａと、電源１４０と、駆動回路１５０と、を有する。
【００１３】
調光装置１０は、図２及び図３に示すように、窓枠２２と窓ガラス２４とを備える窓２０の窓枠２２の内側に嵌め込まれ、当該状態で、ＰＤＬＣパネル１１０を駆動することにより、非散乱状態と、散乱状態との間で状態を切り替え、これにより、窓２０に対するブラインドシャッタとして機能することができる。
【００１４】
［ＰＤＬＣパネル］
ＰＤＬＣパネル１１０は、平板状且つ矩形状の部材であり、駆動回路１５０によって駆動電圧が印加されることにより、非散乱状態と散乱状態との間で光透過特性が切り替わる。ＰＤＬＣパネルの主面（ＸＺ面）の面積は、好ましくは４０，０００ｃｍ２以下であり、より好ましくは１０，０００ｃｍ２〜２００ｃｍ２、さらに好ましくは１，０００ｃｍ２〜４００ｃｍ２である。
【００１５】
例えば、ＰＤＬＣパネル１１０は、駆動回路１５０から駆動電圧が印加されている場合には、液晶層に含まれている液晶分子の配列が規則的な状態となり、光を透過させる非散乱状態となる。一方、ＰＤＬＣパネル１１０は、駆動回路１５０から駆動電圧が印加されていない場合には、液晶分子の配列が不規則な状態となり、光を散乱させる散乱状態となる。ＰＤＬＣパネル１１０は、光を散乱させる状態において、全面的に白色化する。散乱状態では、ＰＤＬＣパネル１１０は、奥行き方向（図中Ｙ軸方向）における一方の側から他方の側を視認することができない。
【００１６】
図４は、図１に示す調光装置１０のＡ−Ａ断面図である。図４に示すように、ＰＤＬＣパネル１１０は、平板状の複数の構成部が積層された積層構造を有している。また、ＰＤＬＣパネル１１０は、外周縁部が枠体１２０によって挟持されている。
【００１７】
具体的には、ＰＤＬＣパネル１１０は、正面側（図中Ｙ軸負側）から順に、透明基板１１１、透明電極１１２、液晶層１１３、透明電極１１４、及び透明基板１１５を有しており、これらの構成部１１１〜１１５が積層された積層構造を有している。ＰＤＬＣパネル１１０の厚みは、好ましくは０．１ｍｍ〜２ｍｍ、より好ましくは０．１ｍｍ〜０．５ｍｍである。
【００１８】
一対の透明基板１１１，１１５は、正面側（図中Ｙ軸負側）からの平面視において矩形状を有する、透明且つ平板状の部材である。透明基板１１１は、ＰＤＬＣパネル１１０の最前面に設けられている。透明基板１１５は、ＰＤＬＣパネル１１０の最背面に設けられている。透明基板１１１，１１５としては、例えば、樹脂フィルム（例えばＰＥＴフィルム）、ガラス板等を用いることができる。
【００１９】
一対の透明電極１１２，１１４は、導電性を有する透明且つ薄膜状の構成部である。透明電極１１２は、透明基板１１１と透明基板１１５との間において、透明基板１１１と重ねて設けられている。透明電極１１４は、透明基板１１１と透明基板１１５との間において、透明基板１１５と重ねて設けられている。透明電極１１２，１１４はそれぞれ、配線（図示せず）によって駆動回路１５０と電気的に接続されている。これにより、透明電極１１２，１１４には、配線を介して、駆動回路１５０から駆動電圧が印加される。透明電極１１２，１１４としては、例えば、ＩＴＯ（Ｉｎｄｉｕｍ  Ｔｉｎ  Ｏｘｉｄｅ）を用いることができる。
【００２０】
液晶層１１３は、透明電極１１２と透明電極１１４との間に形成される構成部である。液晶層１１３は、透明電極１１２と透明電極１１４との隙間に、ＰＤＬＣが充填されることによって形成される。液晶層１１３は、透明電極１１２，１１４間に駆動電圧が印加されていない場合には散乱状態となる。一方、液晶層１１３は、透明電極１１２，１１４間に駆動電圧が印加されている場合には非散乱状態となる。
【００２１】
［枠体］
枠体１２０は、ＰＤＬＣパネル１１０の外周縁部（図示例では、ＰＤＬＣパネル１１０の四辺）に沿って設けられている、一定の厚みを有する枠状の部材である。枠体１２０は、代表的には、樹脂材料、金属材料等によって形成される。枠体１２０は、窓枠２２内に嵌め込み可能なように、窓枠２２の内形寸法と略同一又は窓枠２２の内形寸法よりもやや小さい外形寸法を有する。枠体１２０が窓枠２２の内形寸法よりも小さい外形寸法を有する場合、その差（隙間）は上下方向（天地方向）及び横幅方向（左右方向）においてそれぞれ、例えば１０ｍｍ以下、また例えば５ｍｍ以下であり得る。
【００２２】
［固定部］
４つの固定部１３０ａは、枠体１２０の左右側面の上部及び下部に、外方に突出するように設けられ、突出（Ｘ軸）方向に伸縮する。より具体的には、４つの固定部１３０ａはそれぞれ、弾性部材を含み、突出（Ｘ軸）方向に弾性伸縮する。
【００２３】
図５は、固定部の構成の一例を示す図である。図５に示す固定部１３０ａは、ゴム、熱可塑性エラストマー等のエラストマーで形成された棒状の弾性部材であり、枠体の外周面から外方に突出するように設けられている。弾性部材である固定部１３０ａを収縮させて枠体１２０（調光装置１０）を窓枠内に嵌め込むことにより、その反発力によって調光装置１０が窓枠２２内に支持及び固定される。
【００２４】
［電源］
電源１４０は、駆動回路１５０へ電流、好ましくは直流電圧を供給する。直流電圧を供給する電源１４０としては、一次電池、二次電池（例えば、リチウムイオン電池、リチウムポリマー電池等）及び三次電池（例えば、太陽電池）のいずれを用いてもよい。
【００２５】
［駆動回路］
駆動回路１５０は、ＰＤＬＣパネル１１０を非散乱状態とする場合に駆動電圧を生成する。好ましくは、駆動回路１５０は、昇圧回路を含み、電源１４０が発生する電圧に基づいて当該電圧よりも高電圧な直流の駆動電圧を生成する。消費電力を減少させる観点から、より好ましくは、駆動回路１５０は、昇圧回路と極性反転回路とを含み、電源１４０が発生する電圧よりも高電圧であって、極性が周期的に変化する直流の駆動電圧を生成する。
【００２６】
駆動回路１５０は、生成した駆動電圧を、配線を介して一対の透明電極１１２，１１４間に印加することにより、ＰＤＬＣパネル１１０を駆動する。ＰＤＬＣパネル１１０は、駆動回路１５０から駆動電圧が印加されることにより、散乱状態から非散乱状態に切り替わる。駆動回路１５０がＰＤＬＣパネル１１０に印加する直流電圧は、例えば１０Ｖ〜１００Ｖ、好ましくは２０Ｖ〜８０Ｖである。
【００２７】
次に、上記実施形態の変形例１〜４について説明する。変形例１〜４は、以下に述べる固定部の構成以外は上記実施形態と同様である。
【００２８】
［変形例１］
図６に示す固定部１３０ｂは、枠体１２０の側面から外方に突出するように設けられた支持部材１３２と、支持部材１３２に装着された弾性部材（コイルバネ）１３４と、弾性部材１３４によって付勢される押圧部材１３６と、によって構成されており、突出方向に弾性伸縮する。弾性部材１３４を収縮させて枠体１２０（調光装置１０）窓枠内に嵌め込むことにより、その反発力によって付勢された押圧部材１３６によって調光装置１０が窓枠２２内に支持及び固定される。
【００２９】
［変形例２］
図７（ａ）〜（ｃ）に示す固定部１３０ｃは、枠体１２０から横幅方向外方に向かって伸びるように設けられた支持部材１３２と、支持部材１３２に装着された弾性部材（コイルバネ）１３４と、弾性部材１３４によって付勢される押圧部材１３６と、によって構成されており、支持部材１３２、弾性部材１３４および押圧部材１３６の一部が枠体１２０の内部に設けられた空間内に配置されている。より具体的には、枠体１２０の隅部に押圧部材１３０ｃを配置可能な空間と、該空間を覆い、かつ、手前側に取り外し可能な蓋体１２２とが設けられ、該空間内に支持部材１３２および弾性部材１３４が設けられている。弾性部材１３４を収縮させて枠体１２０（調光装置１０）窓枠内に嵌め込むことにより、その反発力によって付勢された押圧部材１３６によって調光装置１０が窓枠２２内に支持及び固定される。なお、図７（ａ）および図７（ｂ）はそれぞれ、枠体１２０の固定部１３０ｃが設けられた部分を拡大した正面図であり、図７（ａ）は蓋体１２２が取り付けられた状態を示し、図７（ｂ）は蓋体１２２が取り外された状態を示す。また、図７（ｃ）は、図７（ａ）に示す蓋体１２２が取り付けられた状態の枠体１２０を右側から見た側面図である。
【００３０】
［変形例３］
図８に示す固定部１３０ｄは、枠体１２０の側面から外方に突出するように設けられた棒状の弾性部材１３４と、弾性部材１３４の先端に設けられた押圧部材１３６と、によって構成されており、突出方向に弾性伸縮する。弾性部材１３４を収縮させて枠体１２０（調光装置１０）窓枠内に嵌め込むことにより、その反発力によって付勢された押圧部材１３６によって調光装置１０が窓枠２２内に支持及び固定される。
【００３１】
［変形例４］
図９に示す固定部１３０ｅは、枠体１２０の側面に設けられた孔１２２を覆うように設けられた座板１３８ａと、座板１３８ａに設けられたネジ穴１３８ｂと、ネジ穴１３８ｂに係合されたアジャストボルト１３８ｃとから構成されている。固定部１３０ｄは、アジャスタボルト１３８ｃの回転によって軸方向に伸縮可能である。アジャスタボルト１３８ｃを回転させて固定部１３０ｄを軸方向に伸長させることにより、アジャスタボルト１３８ｃの頭部が窓枠２２を押圧し、これにより、調光装置１０が窓枠２２内に支持及び固定される。
【００３２】
［他の変形例］
上記実施形態では、図１（ａ）に示すように、固定部を枠体の左右側面の上部及び下部に計４つ設けているが、本発明の効果が得られる限りにおいて、その数及び配置箇所を変えることができる。固定部の数は、例えば１〜８、好ましくは１〜４であり得る。配置箇所は、枠体の外周面の任意の箇所であってよく、枠体が矩形である場合、上下左右側面の任意の適切な箇所であり得る。
【００３３】
例えば、図１０に示す実施形態において、固定部１３０は、枠体の上側面に１つ設けられており、窓枠２２を上方向に押圧して、調光装置１０を窓枠内に突っ張るように支持する。
【００３４】
また、上記実施形態では、図１（ａ）に示すように、調光装置１０の外形（換言すれば、ＰＤＬＣパネル及び枠体の外形）を矩形としているが、調光装置１０の形状はこれに限定されず、適宜変更してよい。例えば、調光装置１０の外形は、三角形、四角形（矩形）、五角形、六角形等の多角形又は円形であってよい。
【００３５】
また、上記実施形態では、高分子分散型液晶パネルとして、電圧印加時に透明状態となり、非電圧印加時に散乱状態となるノーマル方式の高分子分散型液晶を用いているが、これとは逆に、電圧印加時に散乱状態となり、非電圧印加時に非散乱状態となるリバース方式の高分子分散型液晶を用いることも可能である。
【００３６】
以上、本発明の好ましい実施の形態について詳説したが、本発明は、上述した実施の形態に制限されることはなく、本発明の範囲を逸脱することなく、上述した実施の形態に種々の変形及び置換を加えることができる。
【符号の説明】
【００３７】
１０      調光装置
２０      窓
２２      窓枠
２４      窓ガラス
１１０    ＰＤＬＣパネル
１２０    枠体
１３０    固定部
１４０    電源
１５０    駆動回路
【図１】
0003227023.tif 000003
【図２】
0003227023.tif 000004
【図３】
0003227023.tif 000005
【図４】
0003227023.tif 000006
【図５】
0003227023.tif 000007
【図６】
0003227023.tif 000008
【図７】
0003227023.tif 000009
【図８】
0003227023.tif 000010
【図９】
0003227023.tif 000011
【図１０】
0003227023.tif 000012